【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
歯表面に係合するように適合する取付けパッド；
取付けパッドに固定されたベース部分を有し、近心−遠心方向に延びる弧線スロットを有する、ブラケット本体；
少なくとも１対の咬合側および歯肉側タイウイング；および
クリップが開位置にあるときは弧線の配置および取り外しを可能にし、閉位置にあるときはブラケット部材からの弧線の変位を防止する、略Ｕ字状のロッキングクリップであって、少なくとも１対の咬合側および歯肉側タイウイングと係合するための唇側自由端部分、および、それから延びるフランジ部分を有する舌側ベース側面部分を有する、上記ロッキングクリップ；
を含む、自己結紮歯科矯正ブラケットであって、
前記取付けパッドおよび本体のベース部分は、クリップの舌側ベース側面部分のブラケットへの固定のための舌側空洞を画成し、前記舌側空洞はロッキングクリップの開位置と閉位置の間の摺動可能な移動を可能にする舌側開口部を有し；そして
前記舌側開口部は、舌側ベース側面部分のフランジ部分が、舌側開口部を通して通過することを防ぐために舌側空洞より狭い幅を含み、それにより舌側ベース側面部分のフランジ部分を、ロッキングクリップをブラケットに固定している間、舌側空洞内に保持する；上記自己結紮歯科矯正ブラケット。
【請求項２】
クリップの顔面部分は、標準的な歯科機器がクリップを咬合側に開くために嵌合することを可能にする開口部を含む、請求項１に記載の歯科矯正ブラケット。
【請求項３】
本体中に、クリップ上の開口部に平行な平面上で標準的な歯科機器を案内するための入口溝を含む、請求項２に記載の歯科矯正ブラケット。
【請求項４】
さらに、ブラケット本体の近心側および遠心側の少なくとも１つの周辺に形成された、少なくとも１つの受取区域を含み、該少なくとも１つの受取区域は受取部材によって画成される、請求項１に記載の歯科矯正ブラケット。
【請求項５】
受取部材は：
ａ．唇側フード；
ｂ．舌側レッジ；
ｃ．唇側フードと舌側レッジとの間に延び、そして本体から対向して隔置され、それによって受取区域の少なくとも一部分を密閉する端壁；
ｄ．Ｃ字状の部材；および
ｅ．これらの組合せ；
からなる群から選択される、請求項４に記載の歯科矯正ブラケット。
【請求項６】
クリップの唇側自由端の近心部分および遠心部分は、本体および弧線スロットを超えて延び、そしてレッジが別個の人工物として加えられ、
受取部材は：
ａ．閉位置でクリップの唇側自由端に対する押込式着座を提供する、本体からの近心延長部および／または遠心延長部；
ｂ．閉位置でクリップの唇側自由端の近心および遠心縁部を保護するカバーを有する、本体から延ばされた近心−遠心方向のレッジ；
ｃ．閉位置でクリップの唇側自由端の近心縁部、遠心縁部および歯肉側縁部を保護する密閉されたポケットを有する、本体から延ばされた近心−遠心方向のレッジ；および
ｄ．閉位置でクリップの唇側自由端の歯肉側縁部を保護する「Ｃ字カップ」の形の開いたポケットを有する、本体から延ばされた近心−遠心方向のレッジ
からなる群から選択される、請求項４に記載の歯科矯正ブラケット。
【請求項７】
受取部材は、閉じ込められた結石／歯石を洗浄するのを容易にするための、本体の舌側空洞および舌側開口部を通って歯肉側−咬合側方向に延びる連続するチャネルを含む、請求項４に記載の歯科矯正ブラケット。
【請求項８】
クリップが静止する閉位置で近心−遠心方向に進む、連続するチャネルの深さが低減され、それにより可能な限り最も小さい弧線は治療中に閉じ込められない、請求項７に記載の歯科矯正ブラケット。
【請求項９】
弧線スロットは、舌側に誘導された、近心−遠心方向に延びる湾曲部分またはプロファイルを画成する、請求項１に記載の歯科矯正ブラケット。
【請求項１０】
弧線スロットは、舌側に誘導された、近心−遠心方向に延びる傾斜部分またはプロファイルを画成する、請求項１に記載の歯科矯正ブラケット。
【請求項１１】
歯の表面に係合するように適用されたベース；
前記ベースから実質的に直交方向に延び、近心−遠心方向に延びる弧線スロットを有するブラケット本体；
前記弧線スロットを開閉するロッキングクリップ；および
本体の空洞内に形成されるロッキング機構であって、前記空洞は空洞中の開口部を通って変形可能部材を受けるように構成され、前記変形可能部材は開口部空洞を通って変形可能部材が延びることを可能にする付勢された状態を有している、上記ロッキング機構；
を含む歯科矯正ブラケットであって、
前記空洞は、閉位置でロッキングクリップを固定する変形可能部材と係合するためのノッチ付き部分を含み；
前記変形可能部材または前記空洞のいずれか１つがロッキングクリップに設けられ他がブラケット本体に設けられている
上記歯科矯正ブラケット。
【請求項１２】
ロッキングクリップは、略Ｕ字状の構成を有する管状または円筒状の部材であり、それにより少なくとも１つの付勢部材は、ロッキングクリップのヘッド部分から舌側に誘導される、請求項１１に記載の歯科矯正ブラケット。
【請求項１３】
少なくとも１つの歯肉側タイウイングは、閉位置でロッキングクリップの一部分を受けるための溝を有する唇側表面を含む、請求項１１に記載の歯科矯正ブラケット。
【請求項１４】
歯肉側タイウイングは、閉位置でロッキングクリップのヘッド部分を受けるための溝を有する唇側表面を含み、前記ヘッド部分は、本体の第１のブリッジ部分を超えて咬合側に延びる、請求項１１に記載の歯科矯正ブラケット。
【請求項１５】
保持部材が、フランジ部分を有する唇側部材を含み、前記唇側部材は、歯肉側タイウイング間を延びて、第１のブリッジ部分と唇側部材との間の第１の開口部および唇側部材と本体の唇側表面との間の第２の開口部を画成し、第１の開口部および第２の開口部は、開口部間に貫通孔を画成し；
ガイド部分が、唇側部材の壁に接触することでヘッド部分が撓み、それによってフック部分が第１の開口部および貫通孔に入ることを可能にし；
フック部分が、該貫通孔内へ案内され、その後、フック部分は、該唇側部材のフランジ部分を越えて延び、それによってロッキングクリップが応力を受けていない状態に向かって戻ることを可能にし、したがってフック部分は、フランジ部分に係合して、ロッキングクリップを閉位置で維持する、
請求項１１に記載の歯科矯正ブラケット。
【請求項１６】
ロッキングクリップは、カバー部分をさらに含む、請求項１１に記載の歯科矯正ブラケット。
【請求項１７】
カバー部分は、ロッキングクリップに着脱可能に固定されるように、ロッキングクリップの円筒形または半円筒形の部分を受けるのに十分なほど変形するように構成された、長手方向の開口部を有する管状の付勢部分を含む、請求項１１に記載の歯科矯正ブラケット。
【請求項１８】
ロッキングクリップは、末端部を有する対向する自由端を含み、各末端部は、咬合側タイウイングの１つの中に形成されたそれぞれの内腔内に受け入れられ、開位置と閉位置との間でロッキングクリップの旋回運動を可能にする、請求項１１に記載の歯科矯正ブラケット。
【請求項１９】
１対の横方向に隔置された歯肉側タイウイングおよび１対の横方向に隔置された咬合側タイウイングを有する本体であって、前記歯肉側タイウイングおよび前記咬合側タイウイングは本体の唇側表面から突出する、上記本体；
本体を横切って歯肉側タイウイングと咬合側タイウイングとの間を近心−遠心方向に延びて弧線を収納する弧線スロット；および
開位置にあるときは弧線の配置および取り外しを可能にし、閉位置にあるときはブラケット部材からの弧線の変位を防止する、ロッキングクリップ；
を含む自己結紮歯科矯正ブラケットであって、
前記歯肉側タイウイングは、それぞれ、歯肉側タイウイングを横切って近心−遠心方向に延びる複数のスロットを有し、前記スロットは歯肉側タイウイングを横切ってまたはその間に部分的にまたは完全に延びることができ；
前記ロッキングクリップは、異なったロッキングスロットの中にロックされる２つの歯肉側部分を有し、休止状態のロッキング位置および活動状態のロッキング位置を含む異な
った閉位置を形成し；
前記ロッキングクリップは、咬合側タイウイングの間に近心−遠心方向に挿入する２つの咬合側部分を有する；
上記自己結紮歯科矯正ブラケット。
【請求項２０】
１対の横方向に隔置された歯肉側タイウイングおよび１対の横方向に隔置された咬合側タイウイングを有する本体であって、前記歯肉側タイウイングおよび前記咬合側タイウイングは本体の唇側表面から突出する、上記本体；
本体を横切って歯肉側タイウイングと咬合側タイウイングとの間を近心−遠心方向に延びて弧線を収納する弧線スロット；
ブラケット本体の近心端および遠心端上に位置し、ラック歯車として設計されたロッキング機構；および
クリップを閉じたまま保つロッキング機構の嵌合ラック歯車を有するロッキングクリップ；
を含む、自己結紮歯科矯正ブラケット。
【請求項２１】
ブラケット本体の近心および遠心縁部上に位置する２つの独立して動作されるクリップは、任意の組合せで各縁部の弧線上に異なる表示を可能にすることができる、請求項２０に記載の自己結紮歯科矯正ブラケット。
【請求項２２】
各クリップは、休止状態の弧線係合、活動状態の弧線係合、または相互作用状態の弧線係合を提供するように調整可能である、請求項２０に記載の自己結紮歯科矯正ブラケット。
【請求項２３】
０度〜９０度の任意の角度で傾斜することができるポストが、クリップに装着される、請求項２０に記載の自己結紮歯科矯正ブラケット。
【請求項２４】
本体は、歯肉側−咬合側方向に延びる垂直スロットを含む、請求項２０に記載の自己結紮歯科矯正ブラケット。
【請求項２５】
ラック歯車の反対側の端部の円形の止め具は、クリップを開くための旋回運動を可能にし、クリップが本体から係合解除されるのを防止する、請求項２０に記載の自己結紮歯科矯正ブラケット。
【請求項２６】
１対の横方向に隔置された歯肉側タイウイングおよび１対の横方向に隔置された咬合側タイウイングを有する本体であって、前記歯肉側タイウイングおよび前記咬合側タイウイングは本体の唇側表面から突出する、上記本体；
本体を横切って歯肉側タイウイングと咬合側タイウイングとの間を近心−遠心方向に延びて弧線を収納する弧線スロット；および
開位置にあるときは弧線の配置および取り外しを可能にし、閉位置にあるときはブラケット部材からの弧線の変位を防止する、自由に摺動する制御式のロッキングクリップ；
を含む、上記自己結紮歯科矯正ブラケットであって、
第１の対のスロットが、本体を横切って歯肉側タイウイングの内側へ近心−遠心方向に延び；
第２の対のスロットが、第１の対のスロットに対して舌側に平行に、本体を横切って歯肉側タイウイングの内側へ近心−遠心方向に延び；
前記ロッキングクリップは、最も遠い咬合側の位置で、応力を受けている状態にあり、前記弧線スロットは、ロッキングクリップの唇側部分によって覆われておらず；
前記ロッキングクリップは、クリップが開位置から歯肉側に動きそしてロッキングクリップの唇側部分が第１の対のスロット内に位置するとき、休止状態の閉位置にあり、ロッキングクリップの唇側部分と弧線の唇側との間には接触がなく；そして
前記ロッキングクリップは、ロッキングクリップの唇側部分が第１の対のスロットから第２の対のスロットへ動かされ、それによりロッキングクリップの唇側部分と弧線の唇側との間に干渉接触が生じる；
上記自己結紮歯科矯正ブラケット。